(57)【特許請求の範囲】
【請求項１】
非金属鉱物物質製の板材からなりかごの出入口寄りの壁面に配置された板体と、この板体に設けられて一般乗客操作機能を有する一般操作釦のみが装備された一般操作盤と、上記かごの巾木に設けられて特定者操作機能を有する特定者操作釦が装備された特定者操作盤とを備えたエレベーター用かご操作装置。
【請求項２】
板体を、高さ方向に沿う一側がかごの固定部材に枢着されて、常時は上記かごの出入口寄りの壁面をなす構成に設けたことを特徴とする請求項１記載のエレベーター用かご操作装置。
【請求項３】
板体を、かごの出入口寄りの壁面に着脱自在に装着したことを特徴とする請求項１記載のエレベーター用かご操作装置。
【発明の詳細な説明】
【０００１】
【発明の属する技術分野】
この発明は、かごに設けられて一般乗客が操作する一般操作釦及びエレベーターの管理者等の特定者が操作する特定者操作釦からなるエレベーター用かご操作装置に関する。
【０００２】
【従来の技術】
図５及び図６は、従来のエレベーター用かご操作盤を示す図で、図５はかご内出入口側の要部正面図、図６は図５のＡ−Ａ線断面図である。図において、１はエレベーターのかごで、床２、床２から立設された壁３、壁３の下縁部に設けられた巾木４、壁３の上端を覆って設けられた天井５、天井５に設けられた照明器具６、側面の一側に開口した出入口７及び出入口７を開閉する引き戸８が設けられている。
【０００３】
９は出入口７の上縁部に設けられた表示灯である。１０は袖壁、すなわち出入口７寄りの壁３の壁面に設けられたかご操作盤で、反出入口７側がヒンジ１１によって壁３に枢持された表板１２、表板１２の裏面に設けられたインターホン１３、表板１２に設けられたインターホン１３の通音孔１４、後述する一般乗客操作機能を有する一般操作釦１５及び後述するエレベーターの管理者等の特定者が操作する特定者操作機能を有する特定者操作釦が装備された特定者操作器１６が設けられている。
【０００４】
そして、一般操作釦１５としてはインターホン釦１７、行き先階釦１８、戸閉釦１９及び戸開釦２０が配置されている。また、特定者操作器１６は表板１２に設けられた矩形の開口部２１、開口部２１を開閉するカバー２２、カバー２２を施錠する錠２３、開口部２１対応位置に設けられた取付板２４及び照明スイッチ、運転休止スイッチ、ファンスイッチ等からなり取付板２４に装備された特定者操作釦２５によって構成されている。
【０００５】
また、図７は他の従来のエレベーター用かご操作盤を示す図で、かご内出入口側の要部正面図である。図において、前述の図５及び図６と同符号は相当部分を示し、２６は出入口７寄りの壁３の壁面に締結ねじ（図示しない）等によって着脱自在に装着されたかご操作盤で、表面板２７に表示灯９、インターホン１３の通音孔１４、一般操作釦１５及び特定者操作器１６が設けられている。
【０００６】
従来のエレベーター用かご操作装置は上記のように構成され、図５及び図６のかご操作装置においては、通常時は表板１２が図６に実線で示す位置に固定される。そして、図５及び図６並びに図７のかご操作装置において通常時には一般操作釦１５が乗客によって操作されてエレベーターが運転され、またカバー２２を開いてエレベーターの管理者等の特定者により特定者操作釦２５が操作されてエレベーターの管理が行われる。
【０００７】
また、エレベーター用かご操作装置内部の保守作業時には、図５及び図６のかご操作装置においてはヒンジ１１により表板１２が図６に鎖線で示す位置に開かれて作業が行われ、また図７のかご操作装置においては表面板２７の締結が解除され撤去されて作業が行われる。
なお、表板１２及び表面板２７の材料は、一般的にステンレス鋼板が多用され、また丹銅板、黄銅板等の金属板が使用される。
【０００８】
【発明が解決しようとする課題】
上記のような従来のエレベーター用かご操作装置において、表板１２、表面板２７の操作盤面を形成する材料がガラス板、大理石板、セラミック板等の非金属鉱物物質製の板材である場合には、特定者操作器１６用の矩形の開口部２１の加工時に破損、欠損が生じ易く煩雑な手数が掛かるという問題点があった。
【０００９】
この発明は、かかる問題点を解消するためになされたものであり、非金属鉱物物質製の板材により操作盤面が形成される場合であっても容易に製作できるエレベーター用かご操作装置を得ることを目的とする。
【００１０】
【課題を解決するための手段】
この発明に係るエレベーター用かご操作装置においては、非金属鉱物物質製の板材からなりかごの出入口寄りの壁面に配置された板体と、この板体に設けられて一般乗客操作機能を有する一般操作釦のみが装備された一般操作盤と、かごの巾木に設けられて特定者操作機能を有する特定者操作釦が装備された特定者操作盤とが設けられる。
【００１１】
また、この発明に係るエレベーター用かご操作装置においては、板体が、高さ方向に沿う一側を介してかごの固定部材に枢着されて、常時はかごの出入口寄りの壁面をなす構成に設けられる。
【００１２】
また、この発明に係るエレベーター用かご操作装置においては、板体が、かごの出入口寄りの壁面に着脱自在に装着される。
【００１３】
【発明の実施の形態】
実施の形態１．
図１及び図２は、この発明の実施の形態の一例を示す図で、図１はかご内出入口側の要部正面図、図２は図１のＢ−Ｂ線断面図である。図において、１はエレベーターのかごで、床２、床２から立設された壁３、壁３の下縁部に設けられた巾木４、壁３の上端を覆って設けられた天井５、天井５に設けられた照明器具６、側面の一側に開口した出入口７及び出入口７を開閉する引き戸８が設けられている。
【００１４】
９は出入口７の上縁部に設けられた表示灯である。２８は袖壁、すなわち出入口７寄りの壁３の壁面に設けられた一般操作盤で、反出入口７側がヒンジ１１によって壁３に枢持されたガラス板、大理石板、セラミック板等の非金属鉱物物質製の板材によって形成された表板からなる板体２９及びこの板体２９に設けられて後述する一般乗客操作機能を有する一般操作釦１５によって構成されている。そして、一般操作釦１５としてはインターホン釦１７、行き先階釦１８、戸閉釦１９及び戸開釦２０が配置されている。
【００１５】
１３は一般操作盤２８の上方の壁３裏面に設けられたインターホン、１４は一般操作盤２８の上方の壁３に設けられたインターホン１３の通音孔である。
３０は巾木４部に設けられてエレベーターの管理者等の特定者が操作する特定者操作機能を有する特定者操作釦が装備された特定者操作盤で、巾木板を兼ね下縁部の両側がヒンジ３１によって巾木４裏側材に枢着されたカバー３２、カバー３２を施錠する錠２３、巾木４裏側材に設けられた取付板２４及び照明スイッチ、運転休止スイッチ、ファンスイッチ等からなり取付板２４に装備された特定者操作釦２５によって構成されている。
【００１６】
上記のように構成されたエレベーター用かご操作装置において、通常時は一般操作盤２８の板体２９が壁３面相当位置に固定され、また特定者操作盤３０のカバー３２が図２に実線で示す位置に配置されて鎖錠される。そして、通常時には一般操作釦１５が乗客によって操作されてエレベーターが運転され、また特定者操作盤３０のカバー３２を開いてエレベーターの管理者等の特定者により特定者操作釦２５が操作されてエレベーターの管理が行われる。
【００１７】
また、エレベーター用かご操作装置内部の保守作業時には、ヒンジ１１により板体２９が開かれて作業が行われ、また特定者操作盤３０の取付板２４が取り外されて特定者操作釦２５の作業が行われる。
また、インターホン１３の通音孔１４が一般操作盤２８の上方の壁３に設けられ、また特定者操作盤３０が巾木４部に設けられる。そして、ガラス板、大理石板、セラミック板等の非金属鉱物物質製の板材からなる一般操作盤２８の板体２９には一般操作釦１５のみが設けられる。
【００１８】
したがって、板体２９に対する前述の特定者操作器１６用の矩形の開口部２１の加工が不要になるので、開口部２１加工時に板体２９に発生する破損、欠損を未然に防ぐことができる。これにより、非金属鉱物物質製の板材による一般操作盤２８の板体２９を容易に製作でき、生産性を向上することができる。
【００１９】
なお、巾木４部に特定者操作盤３０が設けられるが、一般操作盤２８に比べて特定者操作盤３０は使用頻度が低いので特に不都合なことは無い。また、特定者操作盤３０が床２近くの巾木４部に設けられて、一般操作盤２８の板体２９には一般操作釦１５のみが設けられるので、一般操作釦１５廻りの見栄えを向上することができる。さらに、特定者操作盤３０が床２近くの巾木４部に設けられるので、目に付きにくくかご１全体としての美観を向上することができる。
【００２０】
実施の形態２．
図３は、この発明の他の実施の形態の一例を示すかご内出入口側の要部正面図である。図において、前述の図１及び図２と同符号は相当部分を示し、９は丸型の表示灯で、一般操作盤２８の非金属鉱物物質製の板材による板体２９に設けられている。３３は巾木４に設けられた矩形の開口部で、開口部３３を開閉するカバー３２が設けられている。
【００２１】
上記のように構成されたエレベーター用かご操作装置においても、前述の図１及び図２の実施の形態と同様にエレベーターの運転、エレベーターの管理及びかご操作装置内部の保守作業が行われる。そして、ガラス板、大理石板、セラミック板等の非金属鉱物物質製の板材からなる一般操作盤２８の板体２９には一般操作釦１５、丸型の表示灯９のみが設けられる。
【００２２】
したがって、詳細な説明を省略するが図３の実施の形態においても、図１及び図２の実施の形態と同様な作用が得られる。なお、丸型の表示灯９のための板体２９に対する丸型の孔明け加工は、加工応力が孔の回りに均一に作用するので破損、欠損が少なく容易に製作することができる。
【００２３】
実施の形態３．
図４も、この発明の他の実施の形態の一例を示すかご内出入口側の要部正面図である。図において、前述の図１、図２及び図３と同符号は相当部分を示し、３４は袖壁、すなわち出入口７寄りの壁３の壁面に締結ねじによって着脱自在に装着された一般操作盤で、ガラス板、大理石板、セラミック板等の非金属鉱物物質製の板材によって形成された表面板からなる板体３５によって操作盤面が構成され、板体３５に一般操作釦１５が設けられている。
【００２４】
上記のように構成されたエレベーター用かご操作装置においても、前述の図１及び図２の実施の形態と同様にエレベーターの運転、エレベーターの管理及びかご操作装置内部の保守作業が行われる。そして、ガラス板、大理石板、セラミック板等の非金属鉱物物質製の板材からなる一般操作盤３４の板体３５には一般操作釦１５のみが設けられる。したがって、詳細な説明を省略するが板体３５に対する前述の特定者操作器１６用の矩形の開口部２１の加工が不要になり、図４の実施の形態においても、図１及び図２の実施の形態と同様な作用が得られる。
【００２５】
【発明の効果】
この発明は以上説明したように、非金属鉱物物質製の板材からなりかごの出入口寄りの壁面に配置された板体と、この板体に設けられて一般乗客操作機能を有する一般操作釦のみが装備された一般操作盤と、かごの巾木に設けられて特定者操作機能を有する特定者操作釦が装備された特定者操作盤とを設けたものである。
【００２６】
これによって、ガラス板、大理石板、セラミック板等の非金属鉱物物質製の板材からなる一般操作盤の板体には一般操作釦のみが設けられる。したがって、板体に対する特定者操作釦用の矩形の開口部の加工が不要になり、この開口部加工時に板体に発生する破損、欠損を未然に防ぐことができる。これにより、非金属鉱物物質製の板材による一般操作盤の板体を容易に製作でき、生産性を向上する効果がある。
【００２７】
また、この発明は以上説明したように、板体を、高さ方向に沿う一側がかごの固定部材に枢着されて、常時はかごの出入口寄りの壁面をなす構成に設けたものである。
【００２８】
これによって、ガラス板、大理石板、セラミック板等の非金属鉱物物質製の板材からなり高さ方向に沿う一側がかごの固定部材に枢着された一般操作盤の板体には一般操作釦のみが設けられる。したがって、板体に対する特定者操作釦用の矩形の開口部の加工が不要になり、この開口部加工時に板体に発生する破損、欠損を未然に防ぐことができる。これにより、非金属鉱物物質製の板材による一般操作盤の板体を容易に製作でき、生産性を向上する効果がある。
【００２９】
また、この発明は以上説明したように、板体を、かごの出入口寄りの壁面に着脱自在に装着したものである。
【００３０】
これによって、ガラス板、大理石板、セラミック板等の非金属鉱物物質製の板材からなりかごの出入口寄りの壁面に着脱自在に装着された一般操作盤の板体には一般操作釦のみが設けられる。したがって、板体に対する特定者操作釦用の矩形の開口部の加工が不要になり、この開口部加工時に板体に発生する破損、欠損を未然に防ぐことができる。これにより、非金属鉱物物質製の板材による一般操作盤の板体を容易に製作でき、生産性を向上する効果がある。
【図面の簡単な説明】
【図１】  この発明の実施の形態１を示す図で、かご内出入口側の要部正面図。
【図２】  図１のＢ−Ｂ線断面図。
【図３】  この発明の実施の形態２を示す図で、かご内出入口側の要部正面図。
【図４】  この発明の実施の形態３を示す図で、かご内出入口側の要部正面図。
【図５】  従来のエレベーター用かご操作盤を示す図で、かご内出入口側の要部正面図。
【図６】  図５のＡ−Ａ線断面図。
【図７】  他の従来のエレベーター用かご操作盤を示す図で、かご内出入口側の要部正面図。
【符号の説明】
１  かご、３  壁、４  巾木、７  出入口、１５  一般操作釦、２５  特定者操作釦、２８  一般操作盤、２９  板体、３０  特定者操作盤、３４  一般操作盤、３５  板体。
【図１】
0003844388.tif 000002
【図２】
0003844388.tif 000003
【図３】
0003844388.tif 000004
【図４】
0003844388.tif 000005
【図５】
0003844388.tif 000006
【図６】
0003844388.tif 000007
【図７】
0003844388.tif 000008